(57)【要約】【課題】着用者の好みに応じてバストアップ可能であり、バストアップしていることが外部から分からない水着を提供する。【解決手段】本考案の水着は、本体布２と、本体布２の裏側に一対の離間する左カップ３ａと右カップ３ｂを有している。左カップ３ａと右カップ３ｂは、下縁部と脇縁部で、それぞれカップ支持布４ａとカップ支持布４ｂに縫製されている。カップ支持部４aとカップ支持４ｂの脇部５は本体布２の裏側の脇部分に縫製されている。カップ支持布４ａの胸の中心部分の端部６に縦１列に２個の丸孔７ａ、７ｂが設けられて、カップ支持布４ｂにも同様に縦１列に２個の丸孔７ｃ、７ｄが設けられている。本体布２の胸の中心部分には、横に２個の丸孔８ａ、８ｂが設けられている。丸孔７ａ、７ｂ、７ｃ、７ｄに紐をクロスするように通し、その紐を本体布１の裏側から丸孔８ａ、８ｂに通し、本体布の表側で蝶結びをして留める。【選択図】図１
0003149572.tif 000002
【実用新案登録請求の範囲】
【請求項１】
水着本体の裏側に設けられる一対のバスト用カップを有する水着において、
左のカップと右のカップは胸の中心側の第１の端部が互いに離間して設けられ、前記左のカップと前記右のカップの少なくとも脇側の第２の端部は前記水着本体の脇部に結合され、
前記左のカップは前記第１の端部から前記第２の端部を支持する第１の支持布が縫製され、前記右のカップは前記第１の端部から前記第２の端部を支持する第２の支持布が縫製され、
前記第１の支持布と前記第２の支持布の胸の中心側にそれぞれ少なくとも１つの第1の連結孔が設けられ、前記水着本体の胸の中心部分に２つの第２の連結孔が設けられ、
前記第1の支持布の前記第1の連結孔と前記第２の支持布の前記第１の連結孔を前記左カップと前記右カップを連結するように通って、前記水着本体の前記第２の連結孔を通り、前記左カップと前記右カップの連結を前記水着本体で留める連結部材を有することを特徴とする水着。
【請求項２】
前記第１の連結孔は前記第１の支持布と前記第２の支持布にそれぞれ縦１列に２つ設けられていることを特徴とする請求項１記載の水着。
【請求項３】
前記連結部材は紐状部材または帯状部材であることを特徴とする請求項1または請求項２記載の水着。
【考案の詳細な説明】
【技術分野】
【０００１】
本考案は、バスト用カップ付き水着に関し、特にバストアップさせることが可能なカップ付き水着に関する。
【背景技術】
【０００２】
女性用の水着の胸部分の内側にカップを備えている水着が普及している。カップをつけることによりバストを安定させ、美しく整えることができる。またバストを更に美しく整えるために、左右のバストを寄せたり、あげたりするバストアップ機能を有するカップを備える水着がある。このような水着のカップはバストを補正する機能を有しているので、カップの中にバストを入れてその形を整え、バストアップを行うものである。他にバストアップが可能なカップの一例として、特開２００２−２１８０５号には、左右のカップの下部に連結部を設けて、連結部の長さを調整してバストアップさせる衣料が記載されている。
【先行技術文献】
【特許文献】
【０００３】
【特許文献１】特開２００２−２１２８０５号公報
【考案の開示】
【考案が解決しようとする課題】
【０００４】
多くのバストアップ可能な水着は、カップが水着の裏地に取り付けられ、自由にバストアップの度合いを変更することができない。また、特許文献１記載の衣料は外部からバストアップしていることが認識される可能性がある。
そこで、本考案の水着は、着用者の好みに応じてバストアップ可能であり、バストアップしていることが外部から分からない水着を提供することを目的とする。
【課題を解決するための手段】
【０００５】
本考案の水着は、水着本体の裏側に設けられる一対のバスト用カップを有する水着において、左のカップと右のカップは胸の中心側の第１の端部が互いに離間して設けられ、左のカップと右のカップの少なくとも脇側の第２の端部は水着本体の脇部に結合され、左のカップは第1の端部から第２の端部を支持する第１の支持布が縫製され、右のカップは第1の端部から第２の端部を支持する第２の支持布が縫製され、第１の支持布と第２の支持布の胸の中心側にそれぞれ少なくとも１つの第１の連結孔が設けられ、水着本体の胸の中心部分に２つの第２の連結孔が設けられ、第１の支持布の第1の連結孔と第２の支持布の第１の連結孔を左カップと右カップを連結するように通って、水着本体の第２の連結孔を通り、左カップと右カップの連結を水着本体で留める連結部材を有する。
【０００６】
ここで、第１の連結孔は第1の支持布と第２の支持布にそれぞれ縦１列に２つ設けられていることが好ましい。また、連結部材は、紐状または帯状部材であってもよい。
【考案の効果】
【０００７】
本考案の水着は左右のカップが離れて設けられ、連結部材により左右のカップが引き寄せられるので、連結部材の引き寄せる度合いにより着用者の好みに応じてバストアップが可能である。また、左右のカップを引き寄せた連結部材が水着本体に設けられた孔を通して留められるので、連結部材が飾りに見える。従って、外部からバストアップしているとは気づかれにくい。
【考案を実施するための最良の形態】
【０００８】
以下に本考案の水着の実施例を図面を参照して説明する。なお、本考案の水着は胸部分に特徴があるので、実施例の説明において、水着のボトム（ショーツ部）に関する説明は省略する。
【実施例１】
【０００９】
図１は本考案の水着のカップ部分の一実施例を示す図であり、図２は図1の水着の外観を示す図である。
【００１０】
図１における水着は、図２（ａ）に示すように肩紐を首の後ろで結び、図２（ｂ）で示すように背中でバックルを嵌めて着用するタイプの水着である。図１の水着１は、本体布２と、本体布２の裏側に一対の離間する左カップ３ａと右カップ３ｂを有している。左カップ３ａと右カップ３ｂの下縁部と脇縁部は、それぞれカップ支持布４ａとカップ支持布４ｂに縫製されている。そして、カップ支持部４aとカップ支持４ｂの脇部５は本体布２の裏側の脇部分に縫製されている。
【００１１】
そして、カップ支持布４ａの胸の中心部分の端部６に縦１列に２個の丸孔７ａ、７ｂが設けられている。また、カップ支持布４ｂにも同様に縦１列に２個の丸孔７ｃ、７ｄが設けられている。そして、本体布２の胸の中心部分には、横に２個の丸孔８ａ、８ｂが設けられている。ここで、端部６を他の布を用いて補強してもよい。
【００１２】
丸孔７ａ、７ｂ、７ｃ、７ｄに紐９をクロスするように通し、その紐を本体布１の裏側から丸孔８ａ、８ｂに通し、図２（ａ）に示すように本体布の表側で蝶結びをして留める。このとき、丸孔８ａ、８ｂから出た紐を引っ張ることにより、左カップ３ａと右カップ３ｂが胸の中心部に引き寄せられるので、バストも中心部に寄ることになり、バストアップ効果を得ることができる。
【００１３】
また、紐９を引っ張るとき、引っ張る加減を変えることにより、所望の度合いでバストアップを行うことができる。
【００１４】
更に、着用者により左右のバストの位置が異なるが、本実施例の水着のカップ３ａとカップ３ｂは胸の中心部分で分離されているので、丸孔７ａ、７ｂ、７ｃ、７ｄに通す紐９によりカップ３ａとカップ３ｂの離間距離を変更することができる。これにより、着用者により異なる左右のバストの位置に対応可能である。
【００１５】
更にまた外見上、胸の中心部で紐が蝶結びされているだけなので、バストアップしていると気づかれる可能性が低い。
【００１６】
以上本考案の実施例において、肩紐を首の後ろで結び、背中でバックルを嵌める水着を例に説明したが、本考案はこの種類の水着に限定されず様々な種類の水着に適用可能である。
【００１７】
また、連結部材として細い紐を用いたが、幅広の帯状紐などを用いてもよく、この場合、用いる連結部材に応じて、例えば縦長など孔の形状を様々に変更することができる。更にまた、カップ支持布４ａとカップ支持布４ｂにそれぞれ丸孔を２個ずつ設けているが、連結部材の形状に応じて、孔をそれぞれ１個にすることができる。
【００１８】
更にまた、実施例では連結部材である紐を蝶結びして留めたが、紐等の連結部材を留めることが可能なクリップやアジャスターなどを連結部材に取り付けてもよい。このとき、クリップやアジャスター等を装飾することが好ましい。
【産業上の利用可能性】
【００１９】
本願考案の水着は、左右のカップを離間して設け、連結部材により左右のカップを引き寄せることができ、且つ、水着本体の表面で留めているので、市販されている様々な種類の水着に利用することができる。
【図面の簡単な説明】
【００２０】
【図１】本考案の水着のカップ部の一実施例を示す図である。
【図２】（ａ）は図１の水着の正面の外観を示す図であり、（ｂ）は図１の水着の背面の外観を示す図である。
【符号の説明】
【００２１】
１    水着
２    本体布
３ａ  左カップ
３ｂ  右カップ
４ａ、４ｂ    カップ支持布
５    脇部
６    端部
７ａ、７ｂ、７ｃ、７ｄ、８ａ、８ｂ    丸孔
【図１】
0003149572.tif 000003
【図２】
0003149572.tif 000004